(57)【特許請求の範囲】
【請求項１】
発光素子及び受光素子が組み込まれるハウジングに対して対物レンズを保持するレンズホルダーより成るアクチュエータ可動部を変位可能に支持するための複数の直線状サスペンションを架設するアクチュエータのサスペンション架設装置であって、前記各サスペンションはアクチュエータ可動部の両側に各２本ずつ配置され、ハウジングに固定される固定部材に形成された各孔にそれぞれ挿入されてこれらの孔の部分で固定されると共に、アクチュエータ可動部に形成された各孔にそれぞれ挿入されてこれらの孔の部分で固定され、かつ、前記アクチュエータ可動部の孔に挿入されるサスペンションの延長線上に各サスペンションの端部の位置決めを行うストッパー部材がアクチュエータ可動部の両側に各１つずつ配置されてハウジングに形成され、前記各ストッパー部材にアクチュエータ可動部の各片側ごとの２本のサスペンションの端部を受けるＶ字状の位置決め溝を形成し、更に、前記各ストッパー部材はハウジングに一体的に形成されていると共に、各サスペンションの架設が完了した後にハウジングから切り離されることを特徴とするアクチュエータのサスペンション架設装置。
【発明の詳細な説明】
【０００１】
【発明の属する技術分野】
本発明は、ハウジングに対して対物レンズを保持するレンズホルダーより成るアクチュエータ可動部を変位可能に支持するための複数の直線状サスペンションを架設するアクチュエータのサスペンション架設装置に関し、特に、サスペンションの架設を容易に精度を確保して行うアクチュエータのサスペンション架設装置に関する。
【０００２】
【従来の技術】
ディスク等の信号記録媒体に対して光学的に信号の読み取り、あるいは書き込みを行う光学ヘッドは、通常、発光素子である半導体レーザー及び受光素子である光検出器が組み込まれるハウジングに、対物レンズを駆動するアクチュエータを設置して構成される。
【０００３】
アクチュエータは、一般に、対物レンズを保持するレンズホルダーにフォーカシングコイル及びトラッキングコイル等の駆動コイルを取り付けてアクチュエータ可動部を構成し、このアクチュエータ可動部をハウジングに対して変位可能に支持し、前記駆動コイルに対して有効に磁界を形成するべく磁気回路を配置して構成される。
【０００４】
アクチュエータにおいては、アクチュエータ可動部をハウジングに対して変位可能に支持するためにワイヤーや板バネ等の直線状サスペンションを用いる構成が主流となっており、複数の直線状サスペンションの各端部付近がそれぞれハウジングに固定される固定部材及びアクチュエータ可動部に固定される。
【０００５】
【発明が解決しようとする課題】
ところで、アクチュエータの組立時において、サスペンションワイヤーを架設する場合、各サスペンションワイヤーは最初に固定部材に形成される各孔にそれぞれ挿入され、次に、アクチュエータ可動部に形成される孔に挿入され、その先に配置される組立治具によりサスペンションワイヤーの先端が位置決めされ、その後、その状態のまま各サスペンションワイヤーは固定部材及びアクチュエータ可動部でハンダ付けや接着剤により固定されてアクチュエータの所定位置に配置される。
【０００６】
しかしながら、前述した方法によりサスペンションワイヤーの架設を行うと、組立治具を配置する位置ズレにより各サスペンションワイヤーの先端の位置ズレが発生し、これにより各サスペンションワイヤーに応力がかかった状態で固定部材及びアクチュエータ可動部に固定されることになり、前記応力がアクチュエータ可動部のスキューずれを発生させ、品質劣化を招く問題があった。
【０００７】
【課題を解決するための手段】
本発明は、ハウジングに固定される固定部材に形成された各孔に各サスペンションをそれぞれ挿入してこれらの孔の部分で固定すると共に、アクチュエータ可動部に形成された各孔に各サスペンションをそれぞれ挿入してこれらの孔の部分で固定し、かつ、前記アクチュエータ可動部の孔に挿入されるサスペンションの延長線上に各サスペンションの端部の位置決めを行うストッパー部材がアクチュエータ可動部の両側に各１つずつ配置されてハウジングに形成され、前記各ストッパー部材にアクチュエータ可動部の各片側ごとの２本のサスペンションの端部を受けるＶ字状の位置決め溝を形成し、更に、前記各ストッパー部材はハウジングに一体的に形成されていると共に、各サスペンションの架設が完了した後にハウジングから切り離される。前記各ストッパー部材のＶ字状の位置決め溝によりアクチュエータ可動部の各片側ごとの２本のサスペンションの端部を一緒に位置決めが行えるようにし、この位置決めのための組立治具を不必要とすると共に、各ストッパー部材をハウジングに形成することによりハウジングに対する各ストッパー部材の位置関係を一定にして各サスペンションの配置位置の精度を確保するようにし、かつ、前記各ストッパー部材をハウジングから切り離すことにより各サスペンションの前記各ストッパー部材による規制を解放するようにしている。
【０００８】
【実施例】
図１は本発明に係るアクチュエータのサスペンション架設装置に用いられる光学ヘッドの組立完了状態を示す斜視図、図２は図１の光学ヘッドのアクチュエータの磁気回路部分を省略した展開状態を示す展開斜視図である。
【０００９】
ハウジング１は合成樹脂による成形により構成され、ハウジング１には発光素子である半導体レーザー（図示せず）及び受光素子である光検出器（図示せず）が組み込まれ、半導体レーザーから出射されるレーザービームを対物レンズ２に導く光学経路及び信号記録媒体により反射されて対物レンズ２に戻されるレーザービームを光検出器に導く光学経路が設けられている。
【００１０】
また、ハウジング１には移動方向をガイドする２本のガイドシャフト（図示せず）がそれぞれ貫通される軸受け孔３ａ，３ｂ及び軸受け溝４が一体的に形成されている。
【００１１】
レンズホルダー５には対物レンズ２が装着され、該レンズホルダー５はレーザービームの光路となるハウジング１の空間６上部に複数の連結部７（図２参照）を介してハウジング１に一体的に形成されている。
【００１２】
コイルホルダー８の側面全周を包囲するべく巻回されるフォーカシングコイル９と４隅に配置されるトラッキングコイル１０とがそれぞれ巻回され、このコイルホルダー８をレンズホルダー５に接着により合体させてアクチュエータ可動部が構成される。
【００１３】
ここで、フォーカシングコイル９及び各トラッキングコイル１０の各駆動コイルは、あらかじめ自動機を用いてコイルホルダー８に巻回される。
【００１４】
アクチュエータ可動部を支持する４本のサスペンションワイヤー１１は、ハウジング１に一体的に形成される設置部材１２にネジ止めより固定されるプリント配線基板から成る固定部材１３と、コイルホルダー８の相対する所定の２側面の中央上下からそれぞれ突出される各突部１４との２箇所でそれぞれ固定される。この場合、前記各サスペンションワイヤー１１は、固定部材１３に形成される孔１３ａに挿入されてその孔部分でハンダ付けが行われると共に、コイルホルダー８の各突部１４に形成される孔１４ａに挿入されてその各突部１４で接着が行われる。
【００１５】
このようにして前記各サスペンションワイヤー１１を架設する際、各サスペンションワイヤー１１の挿入の先端側端部は、架設される各サスペンションワイヤー１１の延長線上となる位置にアクチュエータ可動部の各側に分けてハウジング１に一体的に形成された各ストッパー部材１５ａ，１５ｂにより位置決めが行われる。
【００１６】
そして、各サスペンションワイヤー１１を架設した後に、各連結部７を切断してレンズホルダー５がハウジング１から切り離されることによりアクチュエータ可動部は各サスペンションワイヤー１１によりハウジング１に対してフォーカス方向及びトラッキング方向に変位可能に弾性的に支持される。
【００１７】
また、前記各サスペンションワイヤー１１は、設置部材１２に形成される各空間部１２ａ内に配置され、前記各空間部１２ａ内に充填されるダンプ剤により制振されるようになっている。
【００１８】
一対の永久磁石１６，１７は、アクチュエータ可動部を挟んで同一極面が対向して配置され、それぞれ外部ヨーク１８，１９に付設されている。この外部ヨーク１８，１９はハウジング１に一体成形される立設突部２０ａ，２０ｂ及び２０ｃ，２０ｄ（図２において図示省略）に付設されてこの外部ヨーク１８，１９及び永久磁石１６，１７がハウジング１の所定位置に配置されている。
【００１９】
このように構成される磁気回路により発生される有効磁界内にアクチュエータ可動部のフォーカシングコイル９及び各トラッキングコイル１０の有効辺が配置される。その為、フォーカシングコイル９にフォーカス制御信号を供給することによりアクチュエータ可動部をフォーカス方向に駆動して対物レンズ２から照射される光ビームのフォーカス制御が行え、各トラッキングコイル１０にトラッキング制御信号を供給することによりアクチュエータ可動部をトラッキング方向に駆動して対物レンズ２から照射される光ビームのトラッキング制御が行える。
【００２０】
次に、このように構成される光学ヘッドにおけるアクチュエータのサスペンション架設方法を図３に示す本発明に係るアクチュエータのサスペンション架設装置を用いて説明する。
【００２１】
組立治具の台座２１は逆コ字状に形成され、この台座２１には中央部に互いに平行に配設されるべく一端が開放されるガイドシャフト２２，２３が固定されている。
【００２２】
アクチュエータにサスペンションワイヤー１１を架設する際には、ハウジング１の軸受け孔３ａ，３ｂ及び軸受け溝４をそれぞれガイドシャフト２２，２３に貫通させて光学ヘッドを台座２１に設置する。
【００２３】
サスペンションワイヤー１１を架設する際には、設置部材１２に固定部材１３を取り付けておくと共に、レンズホルダー５にコイルホルダー８を合体させ、かつ、レンズホルダー５を各連結部７によりハウジング１に連結させた状態にしておく。
【００２４】
光学ヘッドを台座２１に設置した後、４本のサスペンションワイヤー１１がそれぞれ独立して挿入される各挿入孔２４ａが設けられたワイヤー挿入治具２４が台座２１の凹部２５に設置される。この場合、ワイヤー挿入治具２４の先端部に形成された切欠き２６にハウジング１の軸受け孔３ａが形成される軸受け部１ａを挿入させてワイヤー挿入治具２４を台座２１の凹部２５に設置し、このワイヤー挿入治具２４の設置と同時にワイヤー挿入治具２４と光学ヘッドとの位置関係を正しい位置に設定する。
【００２５】
また、ワイヤー挿入治具２４が台座２１の凹部２５に設置される場合、ガイドシャフト２２に形成された欠切部２２ａによりワイヤー挿入治具２４の先端がガイドシャフト２２に阻害されずに所定位置に配置されるようになっている。
【００２６】
ワイヤー挿入治具２４が台座２１の凹部２５に設置された状態において、ワイヤー挿入治具２４の各挿入孔２４ａの各出口がそれぞれ固定部材１３の各孔１３ａに位置合わせされている。その為、ワイヤー挿入治具２４の各挿入孔２４ａの各入り口から挿入した各サスペンションワイヤー１１は、各サスペンションワイヤー１１を落下させることにより固定部材１３の各孔１３ａに挿入され、コイルホルダー８の各突部１４の各孔１４ａに挿入されて各サスペンションワイヤー１１がアクチュエータ可動部の各側ごとにそれぞれストッパー部材１５ａ，１５ｂに当接される。
【００２７】
前記ストッパー部材１５ａ，１５ｂには縦にそれぞれＶ字状位置決め溝Ａ，Ｂが形成されており、アクチュエータ可動部の各側ごとに２本の各サスペンションワイヤー１１の先端側端部が各ストッパー部材１５ａ，１５ｂのそれぞれＶ字状位置決め溝Ａ，Ｂに受けられて各サスペンションワイヤー１１の端部が横方向に位置決めされる。
【００２８】
このようにして各サスペンションワイヤー１１を所定位置に配置したところで、各サスペンションワイヤー１１をコイルホルダー８の各突部１４で接着剤により接着すると共に、固定部材１３でハンダ付けして架設する。
【００２９】
また、各駆動コイルはコイルホルダー８における所定の２つの角部付近の上下から突出して形成された各突片８ａにそれぞれ所定の端末が絡げられ、これらの各突片８ａにはそれぞれ所定のサスペンションワイヤー１１がほぼ接する状態に配置されるので、これらの各突片８ａで各駆動コイルの各端末に所定のサスペンションワイヤー１１がハンダ付けにより接続される。
【００３０】
ところで、レンズホルダー５と設置部材１２、及び位置決め部材はハウジング１に一体成形されることによる寸法精度により位置が決められている。その為、コイルホルダー８の各突部１４の孔１４ａと固定部材１３の各孔１３ａ、及び各ストッパー部材１５ａ，１５ｂの各Ｖ字状位置決め溝Ａ，Ｂは、容易に高精度で位置合わせすることが可能で、これにより各サスペンションワイヤー１１に撓みによる応力をかけずに各サスペンションワイヤー１１を架設するのに有利である。
【００３１】
また、コイルホルダー８の各突部１４の孔１４ａ及び固定部材１３の各孔１３ａは、各サスペンションワイヤー１１の径に対して余裕を持たせて形成されており、挿入し易さに貢献すると共に、各サスペンションワイヤー１１に撓みによる応力を生じさせないようになっている。その為、各サスペンションワイヤー１１は応力がほぼ解放された状態で架設されることになる。
【００３２】
このようにして各サスペンションワイヤー１１が架設された後、ストッパー部材１５ａ，１５ｂは折り欠かれる。これにより各サスペンションワイヤー１１の端部がストッパー部材１５ａ，１５ｂの規制から解放されるので、光学ヘッドの使用状態においてストッパー部材１５ａ，１５ｂが各サスペンションワイヤー１１の変位に悪影響を与えることはない。
【００３３】
また、各連結部７を切断してアクチュエータ可動部をハウジング１から切り離す。これによりアクチュエータ可動部をハウジング１に弾性的に支持される状態とし、アクチュエータ可動部はディスクの信号面に光ビームを合焦させるフォーカス制御及びディスクの信号トラックに光ビームを追従させるトラッキング制御が行えるように変位可能に支持される状態となる。
【００３４】
ところで、アクチュエータ可動部をハウジング１から切り離した際に、各サスペンションワイヤー１１に撓みによる応力がかかっていないので、アクチュエータ可動部は自重により少許垂れ下がるが、その際に対物レンズ２の光軸がタンジェンシャル方向及びラジアル方向のスキュー調整を必要とするような変位が発生せず、アクチュエータ可動部のタンジェンシャル方向及びラジアル方向のスキュー精度が高品質に確保される。
【００３５】
したがって、アクチュエータ可動部をスキュー調整しなくても良い精度で各サスペンションワイヤー１１を架設することが可能となる。
【００３７】
また、実施例においてはストッパー部材１５ａ，１５ｂを折り欠いて各サスペンションワイヤー１１の端部をストッパー部材１５ａ，１５ｂの規制から解放したが、各サスペンションワイヤー１１の端部を切断することによりその各端部をストッパー部材１５ａ，１５ｂの規制から各解放するようにしても光学ヘッドの使用状態においてストッパー部材１５ａ，１５ｂが各サスペンションワイヤー１１の変位に悪影響を与えないようにすることが出来る。
【００３８】
【発明の効果】
以上述べた如く、本発明に依れば、ハウジングにアクチュエータ可動部の両側に各１つずつ配置するように各ストッパー部材を設けているので、各サスペンションの端部の位置決め用治具を必要とせず、各ストッパー部材をハウジングに形成することによりハウジングに対してサスペンションを位置決めして精度良く架設することが出来ると共に、各ストッパー部材が切り離された痕跡による影響がアクチュエータ可動部に与えられることがない。そして、アクチュエータ可動部の各片側ごとの２本のサスペンションの端部を各ストッパー部材のＶ字状の位置決め溝により位置決めが行われるので、アクチュエータ可動部の各片側ごとの２本のサスペンションの端部が一緒に揃えられて位置決めされる。
【００３９】
また、各サスペンションの架設が完了した後に各サスペンションの端部をストッパー部材から切り離すようにしているので、各サスペンションの端部がストッパー部材の規制から解放され、光学ヘッドの使用状態においてストッパー部材が各サスペンションの変位に悪影響を与えない。
【図面の簡単な説明】
【図１】本発明に係るアクチュエータのサスペンション架設装置に用いられる光学ヘッドの組立完了状態を示す斜視図である。
【図２】図１の光学ヘッドのアクチュエータの磁気回路部分を省略した展開状態を示す展開斜視図である。
【図３】本発明に係るアクチュエータのサスペンション架設装置を説明するための説明図である。
【符号の説明】
１          ハウジング
２          対物レンズ
５          レンズホルダー
７          連結部
８          コイルホルダー
１１          サスペンションワイヤー
１２          設置部材
１３          固定部材
１３ａ        固定部材の孔
１４ａ        アクチュエータ可動部の孔
１５ａ，１５ｂ        ストッパー部材
２１          台座
２４          ワイヤー挿入治具
【図１】
0003837323.tif 000002
【図２】
0003837323.tif 000003
【図３】
0003837323.tif 000004